(57)【要約】【課題】マトリクス状に配置した有機ＥＬ素子の発光を均一化し、表示が全体として良好に行われる有機ＥＬ表示パネルを提供する。【解決手段】表示エリア２０の左側に配置された電源端子２１に、行方向に延びる電流供給線４の一端を幹線２２を介して接続し、さらに隣り合う電流供給線４を複数の結線ポイント２７で梯子状に結線する。これにより、隣接する電流供給線４から電流が供給されるため、白表示の周辺においても表示が暗くなる領域の発生を防止することができる。【選択図】      図１
2004356052.tif 000002
【特許請求の範囲】
【請求項１】
表示エリア内にマトリクス状に配置された複数のエレクトロルミネッセンス素子と、前記表示エリア内にマトリクスの行又は列方向に配線され、前記エレクトロルミネッセンス素子に電流を供給する複数の電流供給線と、前記電流供給線と接続する少なくとも１つの電源端子と、を備えたエレクトロルミネッセンス表示パネルにおいて、
表示エリア内において隣接する前記電流供給線同士を１箇所以上の結線ポイントにおいて梯子状に結線したことを特徴とするエレクトロルミネッセンス表示パネル。
【請求項２】
前記表示エリアを複数個の小表示エリアに区画し、前記電流供給線及び前記電源端子が前記小表示エリア毎に設けられ、前記各小表示エリア内の隣接する前記電流供給線同士を１箇所以上の結線ポイントにおいて梯子状に結線したことを特徴とする請求項１に記載のエレクトロルミネッセンス表示パネル。
【請求項３】
前記電流供給線は、両端部のうち一端のみが前記電源端子に接続されていることを特徴とする請求項１又は請求項２に記載のエレクトロルミネッセンス表示パネル。
【請求項４】
前記電流供給線は、両端部が前記電源端子に接続されていることを特徴とする請求項１又は請求項２に記載のエレクトロルミネッセンス表示パネル。
【請求項５】
表示エリア内にマトリクス状に配置された複数のエレクトロルミネッセンス素子と、表示エリア内にマトリクスの行又は列方向に配線され、前記エレクトロルミネッセンス素子に電流を供給する複数の電流供給線と、前記電流供給線と接続する少なくとも１つの電源端子と、を備えたエレクトロルミネッセンス表示パネルにおいて、
複数の第２電流供給線を前記電流供給線と直交するように配線し、前記電流供給線と前記第２電流供給線の交差する点のうち、前記電流供給線及び前記第２電流供給線毎に見て少なくとも１箇所以上を結線ポイントとして結線したことを特徴とするエレクトロルミネッセンス表示パネル。
【請求項６】
前記電流供給線及び前記第２電流供給線のうち少なくとも一方は、両端部のうち一端のみが前記電源端子に接続されていることを特徴とする請求項５に記載のエレクトロルミネッセンス表示パネル。
【請求項７】
前記電流供給線及び前記第２電流供給線は、両端部が前記電源端子に接続されていることを特徴とする請求項５に記載のエレクトロルミネッセンス表示パネル。
【請求項８】
前記結線ポイントは、前記各電流供給線上に２ｍｍ以上の間隔を隔てて設けられることを特徴とする請求項１〜７のいずれかに記載のエレクトロルミネッセンス表示パネル。
【請求項９】
前記電源端子は、接続される前記電流供給線の延在方向の辺に設けられることを特徴とする請求項１〜請求項８のいずれかに記載のエレクトロルミネッセンス表示パネル。
【発明の詳細な説明】
【０００１】
【発明の属する技術分野】
本発明は、複数の有機エレクトロルミネッセンス素子をマトリクス状に配置した有機ＥＬ表示パネルに関し、特に各有機エレクトロルミネッセンス素子に対する電力供給に関するものである。
【０００２】
【従来の技術】
近年、フラットパネルディスプレイとして携帯電話から大型テレビに至るまでＬＣＤが広く用いられている。しかしＬＣＤは自発光型ではないため視野角が狭く、バックライトなどの光源を必要とするため低消費電力化にも限界があった。そこでＬＣＤに代わる表示装置として、例えば有機ｅｌｅｃｔｒｏ−ｌｕｍｉｎｅｓｃｅｎｓｅ（エレクトロルミネッセンス）（以下、有機ＥＬという）を用いた自発光型の表示装置が研究されている。有機ＥＬ素子は、陽極と陰極との間に設けられた有機ＥＬ層に電流を供給することでＥＬ層を発光させる自発光型であり、ＬＣＤのようにバックライトなどが不要であることから、薄型化、小型化、低消費電力化などの観点で優れており、フラットパネルディスプレイの主流として期待されている。
【０００３】
有機ＥＬを用いた表示装置は有機ＥＬ素子を備えた画素をマトリクス状に配置し、各有機ＥＬ素子を駆動して発光させて画像表示を行う。この駆動方式としてアクティブマトリクス方式を用いた場合、各画素に薄膜トランジスタ（以下、ＴＦＴという）を設けて各画素を独立して駆動できるため、高精細で高輝度な表示を得ることができ、さらに高効率な発光特性が得られ、低消費電力化を実現することが可能となる。この表示装置では、画素毎に、一対の電極により発光層を挟み込んだ有機ＥＬ素子と、有機ＥＬ素子の一方の電極に電流を供給する駆動用ＴＦＴと、この駆動用ＴＦＴの動作を制御する制御用ＴＦＴを設けている。
【０００４】
図６は従来の有機ＥＬ表示パネルの構成を示す概略図である。表示エリア２０には、有機ＥＬ素子（図示せず）がマトリクス状に配置されており、その各列について、ゲート電極線（図示せず）が配置され、また各行についてゲート電極線（図示せず）及び電流供給線４が配置されている。電流供給線４は幹線２２を介して電源端子２１に接続されている。なお、電流供給線４は、実際にはＲ（赤）、Ｇ（緑）、Ｂ（青）の３色の有機ＥＬ素子に対応して３本を一組として設けられているが、ここでは説明の便宜のため一色についてのみ示している。
【０００５】
これを１つの画素についてみると、図７に示すように、Ｎチャネル型薄膜トランジスタ（以下ＮチャネルＴＦＴという）で構成される制御用ＴＦＴ６のゲート電極１３にはゲート信号線２が接続されている。一方、制御用ＴＦＴ６のソース電極１１はソース信号線３に接続され、ドレイン電極１２はＰチャネルＴＦＴで構成される駆動用ＴＦＴ５に接続されている。そして、この駆動用ＴＦＴ５のソース電極８は電流供給線４に接続され、ドレイン電極９は有機ＥＬ素子１に接続されている。また、駆動用ＴＦＴ５のゲート電極１０には、他端が電流供給線４に接続された保持容量３４が接続されている。
【０００６】
ある特定の画素の有機ＥＬ素子１を発光させるためには、走査信号をゲート信号線２に流し、データ信号をソース信号線３に流すことで、両信号線が平面的に見て交差する部分に配置された制御用ＴＦＴ６のソース電極１１にデータ信号が、ゲート電極１３に走査信号が供給される。このようにして制御用ＴＦＴ６がＯＮすると、このドレイン電極１２にゲート電極１０が接続された駆動用ＴＦＴ５がＯＮになり、電流供給線４から駆動用ＴＦＴ５のソース電極８とドレイン電極９を介して有機ＥＬ素子１に電流が供給されて有機ＥＬ素子１が発光する。
【０００７】
制御用ＴＦＴ６と駆動用ＴＦＴ５の間には保持容量３４が存在し、保持容量３４は一方の電極を電流供給線４で、他方の電極をドレイン電極１２と同時形成される補助電極で形成する。そして走査信号がＬＯＷレベルになって制御用ＴＦＴ６がＯＦＦになっても、駆動用ＴＦＴ５のゲート電位は保持容量３４により所定の時間保持され、有機ＥＬ素子１の発光が続く。
【０００８】
このような有機ＥＬ表示パネルにおいて、比較的大きな領域について白表示を行った場合に、そこに隣接した領域が暗くなってしまうという問題がある。
【０００９】
すなわち、図６に示すように、有機ＥＬ素子がマトリクス状に配置された表示エリア２０の左側に電源端子２１が設けられ、この電源端子２１に各行に対応して延びる電流供給線４が幹線２２により接続されている構成において、表示エリア２０の中心部に白の表示領域があると、その右側の領域の表示が暗くなってしまう。
【００１０】
上述のように、各有機ＥＬ素子１は、電流供給線４から供給される電流により発光する。ここで、画素についての表示データが白であった場合には、その有機ＥＬ素子１の発光量は最大となり、これは白黒表示でもカラー表示でも同様である。このため、白表示の際のその有機ＥＬ素子１に対する電流量は最大となる。特に、各画素が保持容量３４を備えているときは各画素の発光時間は白色の場合が最も長くなる。そのため電流供給線４から有機ＥＬ素子１に流れる電流は、白表示が多いとそれだけ大きくなり、同一の電流供給線４に接続された行（水平）方向において白色表示の画素が続くと、これらの発光時間は重複することとなり、同一の電流供給線４から供給すべき電流量が大きくなる。
【００１１】
従来のように一方向からのみ電流が供給される電流供給線４では、行（水平）方向に比較的大きな白表示エリアが存在すると、１つの電流供給線４からの電流供給量が大きくなり、電流供給線４の電源端子２１から遠い側において、有機ＥＬ素子１に対する電流供給が不十分となる。
【００１２】
このような問題点を解決するため、電流供給線による電流供給能力の低下を抑制する方法が提案されており、特許文献１においては、電流供給線が表示エリア内に配置された画素部駆動ラインと、それを画素領域外でまとめる集約部駆動ラインと、電源端子に接続する接続部駆動ラインとに区分され、うち集約部駆動ラインの幅を画素部駆動ラインより幅広に形成し、配線抵抗による電流供給能力の低下を防ぐ方法が開示されており、特許文献２においては、図８に示すように電源端子を表示エリアの両側に配置し、電流供給線の両端から電流を供給する方法が開示されている。
【００１３】
図８においては、表示エリア２０の水平方向に延びる電流供給線４の左右両端は幹線２２によって束ねられ、電源端子２１及び第２電源端子２３に接続される。このため、図８に矢印で示すように各電流供給線に対する電流の供給は、電流供給線４の両側から行われる。そこで、各電流供給線４への電流供給能力が高まり、特に各画素の有機ＥＬ素子に対する電流供給線４の長さの最大値が従来の場合のほぼ１／２にすることができる。このような構成により、各画素の有機ＥＬ素子に対し十分な駆動電流を供給することができ、白表示領域がある場合においてもその周辺における表示の暗い領域の発生を防止する。
【００１４】
【特許文献１】
特開２００１―１０９３９７号公報
【００１５】
【特許文献２】
特開２００２―１０８２５２号公報
【００１６】
【発明が解決しようとする課題】
しかしながら、特許文献１に記載の方法では、白を表示する領域を挟んで電源端子から遠い側への電流の供給が十分とはいえず、また集約部駆動ラインを幅広に形成するためそれだけ表示エリアが狭くなってしまう。また、特許文献２に記載の方法では、例えば白を表示する領域が電流供給線４上に直列に２箇所以上存在する場合、各白表示領域の間においてはなお電源電圧の低下が生じてしまうこととなる。
【００１７】
本発明は、上記の問題点に鑑み、表示が全体として良好に行われる有機ＥＬ表示パネルを提供することを目的とする。
【００１８】
【課題を解決するための手段】
上記課題を達成するため、本発明は、表示エリア内にマトリクス状に配置された複数のエレクトロルミネッセンス素子と、前記表示エリア内にマトリクスの行又は列方向に配線され、前記エレクトロルミネッセンス素子に電流を供給する複数の電流供給線と、前記電流供給線と接続する少なくとも１つの電源端子と、を備えたエレクトロルミネッセンス表示パネルにおいて、表示エリア内において隣接する前記電流供給線同士を１箇所以上の結線ポイントにおいて梯子状に結線したことを特徴とする。
【００１９】
この構成によると、電流供給線上に白の表示領域が２箇所以上存在する場合であっても、隣接する電流供給線から電流が供給されるため、白の表示領域に隣接する領域での電圧低下が抑制され、表示が暗くなる現象を防ぐことができる。また、各電流供給線が梯子状に結線されているため、電流供給線のうちの１本が断線しても、その先の表示領域に電流を供給することが可能となるため、断線による表示の欠落を防止することも可能となる。
【００２０】
また本発明は、上記構成のエレクトロルミネッセンス表示パネルにおいて、前記表示エリアを複数個の小表示エリアに区画し、前記電流供給線及び前記電源端子が前記小表示エリア毎に設けられ、前記各小表示エリア内の隣接する前記電流供給線同士を１箇所以上の結線ポイントにおいて梯子状に結線したことを特徴とする。
【００２１】
この構成によると、表示エリアを複数の小表示エリアに区画し、小表示エリア毎に電流供給線を設けた場合においても、隣接する電流供給線から電流が供給されるため、各小表示エリア内において表示が暗くなる現象を防ぐことができ、電流供給線の断線による表示の欠落を防止することも可能となる。
【００２２】
また本発明は、表示エリア内にマトリクス状に配置された複数のエレクトロルミネッセンス素子と、表示エリア内にマトリクスの行又は列方向に配線され、前記エレクトロルミネッセンス素子に電流を供給する複数の電流供給線と、前記電流供給線と接続する少なくとも１つの電源端子と、を備えたエレクトロルミネッセンス表示パネルにおいて、複数の第２電流供給線を前記電流供給線と直交するように配線し、前記電流供給線と前記第２電流供給線の交差する点のうち、前記電流供給線及び前記第２電流供給線毎に見て少なくとも１箇所以上を結線ポイントとして結線したことを特徴とする。
【００２３】
この構成によると、表示エリアの直交する２方向から電流が供給されるため、配線抵抗による電圧低下をより一層抑制することができる。また、電流供給線が格子状に結線されているため、電流供給線の断線による表示の欠落を防止することができる。
【００２４】
また本発明は、上記構成のエレクトロルミネッセンス表示パネルにおいて、前記電流供給線は、両端部が前記電源端子に接続されていることとした。
【００２５】
この構成によると、各電流供給線の両側から電流が供給されるため、表示エリア内において表示が暗くなる現象や、電流供給線の断線による表示の欠落を一層効果的に防ぐことができる。
【００２６】
また本発明は、上記構成のエレクトロルミネッセンス表示パネルにおいて、前記結線ポイントは、前記各電流供給線上に２ｍｍ以上の間隔を隔てて設けられることとした。
【００２７】
この構成によると、結線ポイントによる有効表示面積の減少を防ぎ、表示品位の高いエレクトロルミネッセンス表示パネルを提供することができる。
【００２８】
また本発明は、上記構成のエレクトロルミネッセンス表示パネルにおいて、前記電源端子は、接続される前記電流供給線の延在方向の辺に設けることとした。
【００２９】
この構成によると、電流供給線をループ状の幹線を介さずに電源端子に接続できるので配線パターンが簡単になり、配線の長さを短縮することができる。
【００３０】
【発明の実施の形態】
以下に本発明の第１実施形態を図面を参照して説明する。図１は本実施形態の有機ＥＬ表示パネルの構成を示す概略図であり、図６に示す従来の電流供給方式を改良したものである。図６と同一の部位には同一の符号を付して説明は省略する。なお、説明の便宜のため電流供給線４は図６と同様にＲ（赤）、Ｇ（緑）、Ｂ（青）の３色のうち一色についてのみ示している。
【００３１】
本実施形態においては、表示エリア２０の左側に配置された電源端子２１に、行方向に延びる電流供給線４の一端を幹線２２を介して接続している。さらに表示エリア２０内において隣り合う電流供給線４同士を複数の結線ポイント２７で結線している。これにより、隣り合う電流供給線４が梯子状に結線されるため、電流供給線４上に白表示領域が存在する場合でも、隣接する電流供給線４からの電流の供給によって、白表示の周辺においても表示が暗くなる領域の発生を防止することができる。
【００３２】
また、表示エリア２０内で電流供給線４の１本が断線した場合であっても、隣接する電流供給線４から電流が供給されるため、断線部分から先の表示が消えることはなく、断線による表示の欠落を有効に防止することができる。
【００３３】
結線ポイント２７を設ける間隔は特に制限はないが、結線ポイント２７の間隔が密になるほど電流の供給に対して有効である反面、結線ポイント２７による有効表示面積のロスが生じるため表示が暗くなってしまい、逆に間隔が粗になるほど有効表示面積は大きくなるが電流の供給が不十分となり易いため、各電流供給線４上に２ｍｍ以上の間隔で結線ポイント２７を設けるのが好ましく、２〜３ｍｍ間隔とするのがより好ましい。
【００３４】
本実施形態では、電源端子２１は電流供給線４の延在方向の辺に配置したが、電源端子２１を電流供給線４の延在方向に平行な辺に設けることも可能である。この場合、幹線２２を表示エリア２０に沿ってＬ字型に設け、電流供給線４はＬ字型の幹線２２を介して電源端子２１に接続される。
【００３５】
次に本発明の第２実施形態を図面を参照して説明する。図２は本実施形態の有機ＥＬ表示パネルの構成を示す概略図であり、図８に示す従来の電流供給方式を改良したものである。図８と同一の部位には同一の符号を付して説明は省略する。なお、第１実施形態と同様に、電流供給線４はＲ（赤）、Ｇ（緑）、Ｂ（青）のうち一色についてのみ示している。
【００３６】
本実施形態においては、図１における第１実施形態の有機ＥＬ表示パネルの構成に加えて、表示エリア２０の右側に第２電源端子２３を更に配置し、電流供給線４の他端を接続している。これにより、各電流供給線４に対する電流の供給が左右両側から行われるとともに、隣り合う電流供給線４が梯子状に結線されているため、第１実施形態に比べ、白表示の周辺における表示が暗くなる領域の発生や断線による表示の欠落をより効果的に防止することができる。
【００３７】
次に本発明の第３実施形態を図面を参照して説明する。図３は本実施形態の有機ＥＬ表示パネルの構成を示す概略図であり、図６に示す従来の電流供給方式を改良したものである。図６と同一の部位には同一の符号を付して説明は省略する。
【００３８】
本実施形態においては、図６における有機ＥＬ表示パネルの構成に加えて、表示エリア２０の上側に第２電源端子２３を更に配置し、一端が第２電源端子２３に接続される複数の第２電源供給線２６を表示エリア２０の列方向に配線し、さらに電流供給線４と第２電流供給線２６を複数の結線ポイント２７で結線している。なお、説明の便宜のため、電流供給線４及び第２電流供給線２６はＲ（赤）、Ｇ（緑）、Ｂ（青）のうち一色についてのみ示している。
【００３９】
これにより、電流の供給が表示エリア２０の直交する２方向から行われるとともに、交差する電流供給線４と第２電流供給線２６が複数の結線ポイント２７で格子状に結線されているため、電流供給線４上に白表示領域が複数存在する場合でも、第１実施形態に比べて表示が暗くなる領域の発生をより効果的に防止することができる。また、電流供給線４の１本が断線した場合であっても、交差する第２電流供給線２６から電流が供給されるため、第１実施形態と同様に断線による表示の欠落を防止することができる。
【００４０】
結線ポイント２７は、それぞれの電流供給線４及び第２電流供給線２６毎に少なくとも１箇所以上設けられる。また、第１実施形態と同様に、電流供給線４及び第２電流供給線２６に結線ポイント２７を設ける間隔が密になるほど電流の供給に対して有効であるが、結線ポイント２７による有効表示面積のロスが生じるため表示が暗くなってしまい、逆に間隔が粗になるほど有効表示面積は大きくなるが、電流の供給が不十分となり易いため、本実施形態においても電流供給線４及び第２電流供給線２６上に２ｍｍ以上の間隔で結線ポイント２７を設けるのが好ましく、２〜３ｍｍ間隔とするのがより好ましい。
【００４１】
次に本発明の第４実施形態を図面を参照して説明する。図４は本実施形態の有機ＥＬ表示パネルの構成を示す概略図であり、図３に示す第３実施形態の有機ＥＬ表示パネルの構成を更に改良したものである。図３と同一の部位には同一の符号を付して説明は省略する。
【００４２】
本実施形態においては、第３実施形態の構成に加えて、表示エリア２０の右側及び下側に第３電源端子２４及び第４電源端子２５を更に配置し、電流供給線４の他端は第３電源端子２４に接続し、第２電流供給線２６の他端は第４電源端子に接続されている。また、第３実施形態と同様に、電流供給線４と第２電流供給線２６を複数の結線ポイント２７で結線している。
【００４３】
これにより、電流の供給が表示エリア２０の４方向から行われるとともに、交差する電流供給線４と第２電流供給線２６が格子状に結線されているため、第３実施形態に比べて表示が暗くなる領域の発生や断線による表示の欠落を一層効果的に防止することができる。なお、本実施形態においても結線ポイント２７は、それぞれの電流供給線４及び第２電流供給線２６毎に、２ｍｍ以上、より好ましくは２〜３ｍｍの間隔で少なくとも１箇所以上設けられる。
【００４４】
次に本発明の第５実施形態を図面を参照して説明する。図５は本実施形態の有機ＥＬ表示パネルの構成を示す概略図である。図１と同一の部位には同一の符号を付して説明は省略する。本実施形態においては、表示エリア２０は４つの小表示エリアに区画されている。なお、第１〜第４実施形態と同様に、説明の便宜のため各小表示エリアに対応する電流供給線３２ａ〜３２ｄはＲ（赤）、Ｇ（緑）、Ｂ（青）のうち一色についてのみ示している。
【００４５】
本実施形態においては、４つの小表示エリア３０ａ〜３０ｄには、専用の電源端子３１ａ〜３１ｄが設けられている。各電源端子３１ａ〜３１ｄには対応する小表示エリア３０ａ〜３０ｄに電流を供給する電流供給線３２ａ〜３２ｄが幹線２２を介して接続されている。この構成では、表示エリア２０に流れる電流は、それぞれの小表示エリア３０ａ〜３０ｄに分散されて流れるので、表示エリア２０全体に電流が供給される方式に比べ、幹線２２に流れる電流量が小さくなり、配線の劣化や焼き切れなどの発生を防止することができる。
【００４６】
また、各小表示エリア３０ａ〜３０ｄ内の隣接する電流供給線３２ａ〜３２ｄは結線ポイント２７により結線されているため、第１実施形態と同様に比較的大きな白表示が存在する場合にも十分な電流の供給が可能となり、表示が暗くなる領域の発生を防ぐことができ、また電流供給線３２ａ〜３２ｄの断線による表示の欠落を防止することもできる。
【００４７】
なお、本実施形態においても有効表示面積を確保するため、他の実施形態と同様に各小表示エリア用電流供給線３２ａ〜３２ｄ上に２ｍｍ以上の間隔で結線ポイント２７を設けるのが好ましく、２〜３ｍｍ間隔とするのがより好ましい。
【００４８】
なお、本発明の表示パネルは、所謂ボトムエミッション方式といわれるＴＦＴ基板側で光を取り出すものでも、所謂トップエミッション方式といわれる基板上部から光を取り出すものでもよいが、トップエミッション方式であれば開口率を上げることが可能となり、より高精細、光輝度なものとなる。
【００４９】
また、カラー化の方式として、Ｒ（赤）、Ｇ（緑）、Ｂ（青）３色の発光層を形成する方式や、白色発光層を形成しカラーフィルタをつける方式等いずれの方式のものであってもよい。
【００５０】
【発明の効果】
本発明によると、表示エリア内にマトリクス状に配置された複数のエレクトロルミネッセンス素子と、前記表示エリア内にマトリクスの行又は列方向に配線され、前記エレクトロルミネッセンス素子に電流を供給する複数の電流供給線と、前記電流供給線と接続する少なくとも１つの電源端子と、を備えたエレクトロルミネッセンス表示パネルにおいて、隣接する前記電流供給線同士を１箇所以上の結線ポイントにおいて梯子状に結線したため、電流供給線上に白の表示領域が存在する場合であっても、隣接する電流供給線から電流が供給されることにより白の表示領域に隣接する領域での電圧低下が抑制され、表示が暗くなる現象を防ぐことができる。また、各電流供給線が梯子状に結線されているため、電流供給線のうちの１本が断線しても、その先の表示領域に電流を供給することが可能となり、断線による表示の欠落を防止することもできる。
【００５１】
また、前記表示エリアを複数個の小表示エリアに区画し、前記電流供給線及び前記電源端子が前記小表示エリア毎に設けられ、前記各小表示エリア内の隣接する前記電流供給線同士を１箇所以上の結線ポイントにおいて梯子状に結線したため、表示エリアを複数の小表示エリアに区画し、小表示エリア毎に電流供給線を設けた場合においても、隣接する電流供給線から電流が供給されるため、各小表示エリア内において表示が暗くなる現象を防ぐことができ、電流供給線の断線による表示の欠落を防止することも可能となる。
【００５２】
また、複数の第２電流供給線を前記電流供給線と直交するように配線し、前記電流供給線と前記第２電流供給線の交差する点のうち、前記電流供給線及び前記第２電流供給線毎に見て少なくとも１箇所以上を結線ポイントとして結線したため、表示エリアの直交する２方向から電流が供給され、配線抵抗による電圧低下をより一層抑制することができる。また、電流供給線が格子状に結線されているため、電流供給線の断線による表示の欠落を防止することができる。
【００５３】
また、前記電流供給線及び前記第２電流供給線の両端部を前記電源端子に接続することにより、各電流供給線の両側から電流が供給されるため、表示エリア内において表示が暗くなる現象や、電流供給線の断線による表示の欠落を一層効果的に防ぐことができる。
【００５４】
また、前記結線ポイントは、前記各電流供給線上に２ｍｍ以上の間隔を隔てて設けられることとしたので、結線ポイントによる有効表示面積の減少を防ぎ、表示品位の高いエレクトロルミネッセンス表示パネルを提供することができる。
【００５５】
また、前記電源端子を、接続される前記電流供給線の延在方向の辺に設けることとしたので、電流供給線を簡単な配線パターンで配線することができ、配線の長さを短縮することができる。
【図面の簡単な説明】
【図１】本発明の第１実施形態である有機ＥＬ表示パネルの構成を示す概略図である。
【図２】本発明の第２実施形態である有機ＥＬ表示パネルの構成を示す概略図である。
【図３】本発明の第３実施形態である有機ＥＬ表示パネルの構成を示す概略図である。
【図４】本発明の第４実施形態である有機ＥＬ表示パネルの構成を示す概略図である。
【図５】本発明の第５実施形態である有機ＥＬ表示パネルの構成を示す概略図である。
【図６】従来の有機ＥＬ表示パネルの構成を示す概略図である。
【図７】有機ＥＬ表示パネルの画素部分の回路図である。
【図８】従来の有機ＥＬ表示パネルにおいて電流供給線の両端から電流を供給した場合の構成を示す概略図である。
【符号の説明】
１．  有機ＥＬ素子
４．  電流供給線
５．  駆動用ＴＦＴ
６．  制御用ＴＦＴ
２０．表示エリア
２１．電源端子
２２．幹線
２３．第２電源端子
２４．第３電源端子
２５．第４電源端子
２６．第２電流供給線
２７．結線ポイント
３０ａ〜３０ｄ．小表示エリア
３１ａ〜３１ｄ．電源端子
３２ａ〜３２ｄ．電流供給線
【図１】
2004356052.tif 000003
【図２】
2004356052.tif 000004
【図３】
2004356052.tif 000005
【図４】
2004356052.tif 000006
【図５】
2004356052.tif 000007
【図６】
2004356052.tif 000008
【図７】
2004356052.tif 000009
【図８】
2004356052.tif 000010